(57)【要約】      （修正有）【課題】電子チケットデータが二重に利用されることを防止しつつ、その電子チケットデータを適正に利用することを可能とする。【解決手段】情報処理装置は、携帯端末により取得された第１の電子チケットデータと第２の電子チケットデータとがそれぞれ有効化されているか否かを確認する確認要求を受信する。情報処理装置は、確認要求された電子チケットのうち有効化されてないと判定された電子チケットデータを有効化させる有効化命令を送信する。【選択図】図１
2018163610.tif 000002
【特許請求の範囲】
【請求項１】
グループに属する複数のユーザそれぞれが利用する複数の携帯端末と、情報処理装置と、を含む電子チケットシステムにおいて、
前記複数の携帯端末のうちの少なくとも一の携帯端末は、
前記一の携帯端末のユーザに対して発行された第１の電子チケットデータと、前記グループ内の他のユーザに対して発行された第２の電子チケットデータと、を取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を送信する要求送信手段と、
前記確認要求された前記電子チケットデータのうちまだ有効化されていない前記電子チケットデータを有効化させる有効化命令を受信する命令受信手段と、
前記有効化命令に応じて、まだ有効化されていない前記電子チケットデータを利用できるように有効化する処理を実行する有効化手段と、
を備え、
前記情報処理装置は、
前記確認要求を受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる前記有効化命令を送信する命令送信手段と、
を備えることを特徴とする電子チケットシステム。
【請求項２】
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、
を備えることを特徴とする情報処理装置。
【請求項３】
前記通信装置は、前記電子チケットデータの利用が予定される場所を含むエリアに設置され、且つ前記携帯端末と無線通信可能であり、
前記携帯端末は、前記通信装置の無線通信圏内に前記携帯端末が入った際に、前記確認要求を前記通信装置へ送信し、前記通信装置から前記有効化命令を受信することを特徴とする請求項２に記載の情報処理装置。
【請求項４】
前記通信装置は、前記携帯端末であることを特徴とする請求項２に記載の情報処理装置。
【請求項５】
グループに属する複数のユーザそれぞれに対して発行された複数の電子チケットデータが有効化されているか否かを、それぞれの前記電子チケットデータごとに管理する電子チケットシステムにおいて用いられる携帯端末において、
前記携帯端末のユーザに対して発行された第１の電子チケットデータと、該ユーザが属するグループ内の他のユーザに対して発行された第２の電子チケットデータと、を含む複数の電子チケットデータを取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う確認用情報処理装置へ送信する送信手段と、
前記確認要求された前記電子チケットデータのうちまだ有効化されていない前記電子チケットデータを有効化させる有効化命令を、前記確認用情報処理装置から受信する受信手段と、
前記有効化命令に応じて、まだ有効化されていない前記電子チケットデータを利用できるように有効化する処理を実行する有効化手段と、
を備えることを特徴とする携帯端末。
【請求項６】
前記送信手段は、前記携帯端末が前記電子チケットデータの利用が予定される場所を含むエリアに設置され、且つ前記携帯端末と無線通信可能な通信装置の無線通信圏内に入った際に、前記確認要求を送信することを特徴とする請求項５に記載の携帯端末。
【請求項７】
前記通信装置は、前記確認用情報処理装置であることを特徴とする請求項６に記載の携帯端末。
【請求項８】
前記第１の電子チケットデータに対応するチケット情報と、前記利用要求が受け付けられた前記第２の電子チケットデータに対応するチケット情報と、を画面に表示させる表示制御手段を更に備えることを特徴とする請求項５乃至７の何れか１項に記載の携帯端末。
【請求項９】
前記受付手段は、前記利用要求と前記他のユーザの認証情報とを受け付け、
前記送信手段は、前記第２の電子チケットデータについては、前記受け付けられた認証情報を用いて前記他のユーザが認証された場合に限り、該他のユーザに対して発行された第２の電子チケットデータが有効化されているか否かを確認する確認要求を前記確認用情報処理装置へ送信することを特徴とする請求項５乃至８に記載の携帯端末。
【請求項１０】
コンピュータにより実行される情報処理方法であって、
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信ステップと、
記憶ステップに記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信ステップと、
を含むことを特徴とする情報処理方法。
【請求項１１】
グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータにより実行される情報処理方法において、
前記携帯端末のユーザに対して発行された第１の電子チケットデータと、該ユーザが属するグループ内の他のユーザに対して発行された第２の電子チケットデータと、を含む複数の電子チケットデータを取得する取得ステップと、
前記第２の電子チケットデータの利用要求を受け付ける受付ステップと、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信ステップと、
前記確認要求された前記電子チケットデータのうちまだ有効化されていない前記電子チケットデータを有効化させる有効化命令を、前記情報処理装置から受信する受信ステップと、
前記有効化命令に応じて、まだ有効化されていない前記電子チケットデータを利用できるように有効化する処理を実行する有効化ステップと、
を含むことを特徴とする情報処理方法。
【請求項１２】
コンピュータを、
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、
として機能させることを特徴とする情報処理プログラム。
【請求項１３】
グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータを、
前記携帯端末のユーザに対して発行された第１の電子チケットデータと、該ユーザが属するグループ内の他のユーザに対して発行された第２の電子チケットデータと、を含む複数の電子チケットデータを取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信手段と、
前記確認要求された前記電子チケットデータのうちまだ有効化されていない前記電子チケットデータを有効化させる有効化命令を、前記情報処理装置から受信する受信手段と、
前記有効化命令に応じて、まだ有効化されていない前記電子チケットデータを利用できるように有効化する処理を実行する有効化手段と、
として機能させることを特徴とする情報処理プログラム。
【発明の詳細な説明】
【技術分野】
【０００１】
本発明は、携帯端末のユーザに対して発行された電子チケットデータの送受信を行うシステム等の技術分野に関する。
【背景技術】
【０００２】
従来、イベント会場などへの入場に必要となる電子チケットデータを、電子チケット管理装置から携帯端末へ提供するシステムが知られている。このようなシステムでは、原則として、電子チケットデータは、１台の携帯端末（言い換えれば、１アカウント）に対して１つだけ発行され、該携帯端末に紐付けられるようになっており、電子チケットデータの不当な複製及び転売を防ぐ手段が講じられている。
【０００３】
ところで、特許文献１に開示された電子チケットシステムでは、或るユーザが代表して複数の電子チケットを一括して購入し、その複数の電子チケットに対応する電子チケット情報がそのユーザの携帯端末Ａに格納される。その後、携帯端末Ａは、任意の時点で、他のユーザの電子チケット情報を電子チケット管理装置へ転送した後、電子チケット管理装置からの転送完了通知に応じて、転送した電子チケット情報を自己のアプリ専用記憶領域から削除する。一方、電子チケット管理装置は、携帯端末Ａから転送された電子チケット情報を記憶し、他のユーザの携帯端末Ｂからの要求に応じて、該記憶した電子チケット情報を携帯端末Ｂへ送信する。このような電子チケットシステムによれば、電子チケット情報の複製を行わせない環境下で、或るユーザは事前に他のユーザへ電子チケットを渡すことができるので、必ずしも事前に待ち合わせて一緒に会場に入場する必要がなくなる。
【先行技術文献】
【特許文献】
【０００４】
【特許文献１】特開２００４−３００６３号公報
【発明の概要】
【発明が解決しようとする課題】
【０００５】
しかしながら、特許文献１の技術では、電子チケット管理装置から電子チケット情報を取得した携帯端末Ｂのユーザが該携帯端末Ｂを会場に持って行くことを忘れてしまった場合や、会場付近で該携帯端末Ｂの電池が切れてしまった場合など、ユーザが該携帯端末Ｂを会場で利用できない状況になった場合、該ユーザは自身の電子チケット情報を会場で利用できなくなるという問題がある。一方、携帯端末Ａと携帯端末Ｂの双方に、それぞれのユーザの電子チケット情報を格納しておけば、上記問題を解決することは可能であるが、この場合、電子チケット情報が二重に利用されることが懸念される。
【０００６】
そこで、本発明は、上記点等に鑑みてなされたものであり、ユーザが電子チケットデータを取得した携帯端末を利用できない状況であっても、電子チケットデータが二重に利用されることを防止しつつ、該電子チケットデータの利用が予定される会場等の場所で該ユーザが電子チケットデータを適正に利用することが可能な電子チケットシステム、情報処理装置、携帯端末、情報処理方法、及び情報処理プログラムを提供することを課題とする。
【課題を解決するための手段】
【０００７】
上記課題を解決するために、請求項１に記載の発明は、グループに属する複数のユーザそれぞれが利用する複数の携帯端末と、情報処理装置と、を含む電子チケットシステムにおいて、前記複数の携帯端末のうちの少なくとも一の携帯端末は、前記一の携帯端末のユーザに対して発行された第１の電子チケットデータと、前記グループ内の他のユーザに対して発行された第２の電子チケットデータと、を取得する取得手段と、前記第２の電子チケットデータの利用要求を受け付ける受付手段と、前記第１の電子チケットデータと、前記利用要求が受け付けられた前記第２の電子チケットデータとがそれぞれ有効化されているか否かを確認する確認要求を送信する要求送信手段と、前記確認要求された前記電子チケットデータのうちまだ有効化されていない前記電子チケットデータを有効化させる有効化命令を受信する命令受信手段と、前記有効化命令に応じて、まだ有効化されていない前記電子チケットデータを利用できるように有効化する処理を実行する有効化手段と、を備え、前記情報処理装置は、前記確認要求を受信する要求受信手段と、記憶手段に記憶された、電子チケットデータが有効化されているか否かを電子チケットデータごとに示す有効化情報に基づいて、前記確認要求された電子チケットのうち有効化されてないと判定された電子チケットデータを有効化させる前記有効化命令を送信する命令送信手段と、を備えることを特徴とする。
【０００８】
この発明によれば、グループ内のユーザのうち少なくとも１人のユーザの携帯端末は、この携帯端末のユーザに対して発行された第１の電子チケットデータの他に、グループ内の他のユーザに対して発行された第２の電子チケットデータも取得する。なお、グループ内の他のユーザの携帯端末も、このユーザに対して発行された第２の電子チケットデータを取得する。グループ内の他のユーザがこのユーザの携帯端末を利用することができない状態になった場合、複数の電子チケットデータを取得した携帯端末に対して、第２の電子チケットデータの利用要求が入力される。その後、携帯端末は、第１の電子チケットデータが有効化されているか否かの確認を要求する。事前に利用要求が受け付けられている場合、携帯端末は、第２の電子チケットデータが有効化されているか否かの確認も要求する。確認要求を受信した情報処理装置は、記憶手段に記憶された有効化情報に基づいて、確認要求された電子チケットのうち有効化されてないと判定された電子チケットデータを有効化させる有効化命令を送信する。携帯端末が有効化命令を受信すると、確認が要求された電子チケットデータのうちまだ有効化されていない電子チケットデータが有効化される。これにより、第１の電子チケットデータに加えて、第２の電子チケットデータもこの携帯端末で利用することができる。その後、第２の電子チケットデータが発行された他のユーザが利用することができない状態となっている携帯端末が、第２の電子チケットデータが有効化されているか否かの確認を要求したとする。この場合、第２の電子チケットデータは既に有効化されているので、この携帯端末は有効化命令を受信しない。従って、携帯端末は第２の電子チケットデータを有効化しないので、この携帯端末では第２の電子チケットデータを利用することができない。このように、ユーザが電子チケットデータを取得した携帯端末を利用できない状況であっても、電子チケットデータが二重に利用されることを防止しつつ、該電子チケットデータの利用が予定される会場等の場所で該ユーザが電子チケットデータを適正に利用することができる。
【０００９】
請求項２に記載の発明は、グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、を備えることを特徴とする。
【００１０】
請求項３に記載の発明は、前記通信装置は、前記電子チケットデータの利用が予定される場所を含むエリアに設置され、且つ前記携帯端末と無線通信可能であり、前記携帯端末は、前記通信装置の無線通信圏内に前記携帯端末が入った際に、前記確認要求を前記通信装置へ送信し、前記通信装置から前記有効化命令を受信することを特徴とする。
【００１１】
この発明によれば、第１の電子チケットデータ及び第２の電子チケットデータを取得した携帯端末を持ったユーザが、電子チケットデータの利用が予定される場所又はその付近に移動することによってこの携帯端末が通信装置の無線通信圏内に入ると、携帯端末は確認要求を通信装置へ送信する。通信端末は、この確認要求を情報処理装置へ転送し、情報処理装置から受信した有効か命令を携帯端末へ転送する。有効化命令を受信すると、携帯端末は、第１の電子チケットデータ及び第２の電子チケットデータを有効化する。従って、電子チケットデータの利用が予定される場所又はその付近に携帯端末が位置する場合にのみ、電子チケットデータの有効化が可能となる。また、携帯端末が移動体通信網や無線ＬＡＮ（Local Area Network）等の無線通信ネットワークに接続することができない場合であっても、携帯端末は、通信装置と直接無線通信することにより電子チケットデータを有効化することができる。
【００１２】
請求項４に記載の発明は、記通信装置は、前記携帯端末であることを特徴とする。
【００１３】
請求項５に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末において、前記携帯端末のユーザに対して発行された第１の電子チケットデータと、該ユーザが属するグループ内の他のユーザに対して発行された第２の電子チケットデータと、を含む複数の電子チケットデータを取得する取得手段と、前記第２の電子チケットデータの利用要求を受け付ける受付手段と、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う確認用情報処理装置へ送信する送信手段と、前記確認要求された前記電子チケットデータのうちまだ有効化されていない前記電子チケットデータを有効化させる有効化命令を、前記確認用情報処理装置から受信する受信手段と、前記有効化命令に応じて、まだ有効化されていない前記電子チケットデータを利用できるように有効化する処理を実行する有効化手段と、を備えることを特徴とする。
【００１４】
請求項６に記載の発明は、前記送信手段は、前記携帯端末が前記電子チケットデータの利用が予定される場所を含むエリアに設置され、且つ前記携帯端末と無線通信可能な通信装置の無線通信圏内に入った際に、前記確認要求を送信することを特徴とする。
【００１５】
この発明によれば、第１の電子チケットデータ及び第２の電子チケットデータを取得した携帯端末を持ったユーザが、電子チケットデータの利用が予定される場所又はその付近に移動することによってこの携帯端末が通信装置の無線通信圏内に入ると、携帯端末は確認要求を送信する。有効化命令を受信すると、携帯端末は、第１の電子チケットデータ及び第２の電子チケットデータを有効化する。従って、電子チケットデータの利用が予定される場所又はその付近に携帯端末が位置する場合にのみ、電子チケットデータの有効化が可能となる。
【００１６】
請求項７に記載の発明は、前記通信装置は、前記確認用情報処理装置であることを特徴とする。
【００１７】
この発明によれば、携帯端末が移動体通信網や無線ＬＡＮ等の無線通信ネットワークに接続することができない場合であっても、携帯端末は、通信装置と直接無線通信することにより電子チケットデータを有効化することができる。
【００１８】
請求項８に記載の発明は、前記第１の電子チケットデータに対応するチケット情報と、前記利用要求が受け付けられた前記第２の電子チケットデータに対応するチケット情報と、を画面に表示させる表示制御手段を更に備えることを特徴とする。
【００１９】
この発明によれば、第２の電子チケットデータの利用要求が受け付けられているか否かをユーザが容易に認識することができる。
【００２０】
請求項９に記載の発明は、前記受付手段は、前記利用要求と前記他のユーザの認証情報とを受け付け、前記送信手段は、前記第２の電子チケットデータについては、前記受け付けられた認証情報を用いて前記他のユーザが認証された場合に限り、該他のユーザに対して発行された第２の電子チケットデータが有効化されているか否かを確認する確認要求を前記確認用情報処理装置へ送信することを特徴とする。
【００２１】
この発明によれば、携帯端末は、利用要求の入力が、第２の電子チケットデータが発行されたユーザの意思によるものであることを確認した上で、その第２の電子チケットデータを有効化することができる。
【００２２】
請求項１０に記載の発明は、コンピュータにより実行される情報処理方法であって、グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信ステップと、記憶ステップに記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信ステップと、を含むことを特徴とする。
【００２３】
請求項１１に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータにより実行される情報処理方法において、前記携帯端末のユーザに対して発行された第１の電子チケットデータと、該ユーザが属するグループ内の他のユーザに対して発行された第２の電子チケットデータと、を含む複数の電子チケットデータを取得する取得ステップと、前記第２の電子チケットデータの利用要求を受け付ける受付ステップと、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信ステップと、前記確認要求された前記電子チケットデータのうちまだ有効化されていない前記電子チケットデータを有効化させる有効化命令を、前記情報処理装置から受信する受信ステップと、前記有効化命令に応じて、まだ有効化されていない前記電子チケットデータを利用できるように有効化する処理を実行する有効化ステップと、を含むことを特徴とする。
【００２４】
請求項１２に記載の発明は、コンピュータを、グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、として機能させることを特徴とする
【００２５】
請求項１３に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータを、前記携帯端末のユーザに対して発行された第１の電子チケットデータと、該ユーザが属するグループ内の他のユーザに対して発行された第２の電子チケットデータと、を含む複数の電子チケットデータを取得する取得手段と、前記第２の電子チケットデータの利用要求を受け付ける受付手段と、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信手段と、前記確認要求された前記電子チケットデータのうちまだ有効化されていない前記電子チケットデータを有効化させる有効化命令を、前記情報処理装置から受信する受信手段と、前記有効化命令に応じて、まだ有効化されていない前記電子チケットデータを利用できるように有効化する処理を実行する有効化手段と、として機能させることを特徴とする。
【発明の効果】
【００２６】
本発明によれば、ユーザが電子チケットデータを取得した携帯端末を利用できない状況であっても、電子チケットデータが二重に利用されることを防止しつつ、該電子チケットデータの利用が予定される会場等の場所で該ユーザが電子チケットデータを適正に利用することができる。
【図面の簡単な説明】
【００２７】
【図１】一実施形態に係る電子チケットシステムＳの概要構成の一例を示す図である。
【図２】一実施形態に係る電子チケットサーバの概要構成の一例を示すブロック図である。
【図３】データベースに記憶される内容の一例を示す図である。
【図４】（ａ）は、一実施形態に係る携帯端末３の概要構成の一例を示すブロック図である。（ｂ）は、一実施形態に係る携帯端末３のシステム制御部３７の機能ブロックの一例を示す図である。
【図５】（ａ）は、グループの各メンバーの携帯端末３に電子チケットデータがダウンロードされたときの電子チケットデータの状態とチケットＤＢ１２ｂの内容の一例を示す図である。（ｂ）は、利用要求が受け付けられたときの電子チケットデータの状態とチケットＤＢ１２ｂの内容の一例を示す図である。
【図６】携帯端末３−１及び３−３が有効化端末２の無線通信圏内ＡＲ１に入ったときの電子チケットデータの状態とチケットＤＢ１２ｂの内容の一例を示す図である。
【図７】携帯端末３−２が有効化端末２の無線通信圏内ＡＲ１に入ったときの電子チケットデータの状態とチケットＤＢ１２ｂの内容の一例を示す図である。
【図８】グループの各メンバーの携帯端末３に電子チケットデータがダウンロードされたときの電子チケットデータの状態とチケットＤＢ１２ｂの内容の一例を示す図である。
【図９】（ａ）は、一実施形態に係る電子チケットサーバ１のシステム制御部１４による代表者用電子チケット送信処理の一例を示す図である。（ｂ）は、一実施形態に係る携帯端末３のチケットデータ取得部３７１による代表者用電子チケット受信処理の一例を示す図である。（ｃ）は、一実施形態に係る電子チケットサーバ１のシステム制御部１４による非代表者用電子チケット送信処理の一例を示す図である。
【図１０】（ａ）は、一実施形態に係る携帯端末３のシステム制御部３７による利用要求受付処理の一例を示す図である。（ｂ）は、一実施形態に係る携帯端末３のチケット情報表示制御部３７３による電子チケット表示処理の一例を示す図である。
【図１１】（ａ）は、一実施形態に係る携帯端末３の有効化部３７６による有効化制御処理の一例を示す図である。（ｂ）は、一実施形態に係る電子チケットサーバ１のシステム制御部１４による有効化確認要求受信処理の一例を示す図である。
【図１２】一実施形態に係る電子チケットシステムＳの概要構成の一例を示す図である。
【図１３】携帯端末３−１及び３−３がビーコン発信機４の無線通信圏内ＡＲ２に入ったときの電子チケットデータの状態とチケットＤＢ１２ｂの内容の一例を示す図である。
【図１４】ビーコン発信機４が有効化端末２の無線通信圏内ＡＲ２に入ったときの電子チケットデータの状態とチケットＤＢ１２ｂの内容の一例を示す図である。
【図１５】一実施形態に係る電子チケットシステムＳの概要構成の一例を示す図である。
【発明を実施するための形態】
【００２８】
以下、図面を参照して本発明の実施形態について詳細に説明する。なお、以下に説明する実施の形態は、電子チケットシステムに対して本発明を適用した場合の実施形態である。
【００２９】
［１．第１実施形態］
［１−１．電子チケットシステムの構成及び機能概要］
先ず、本実施形態に係る電子チケットシステムＳの構成及び機能概要について、図１を用いて説明する。図１は、本実施形態に係る電子チケットシステムＳの概要構成の一例を示す図である。
【００３０】
図１に示すように、電子チケットシステムＳは、電子チケットサーバ１と、少なくとも１つの有効化端末２と、複数の携帯端末３とを含んで構成されている。電子チケットシステムＳは、本発明の情報処理装置の一例である。有効化端末２は、本発明の確認用情報処理装置及び通信装置の一例である。電子チケットサーバ１と有効化端末２と各携帯端末３とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３１】
電子チケットサーバ１は、イベントなどで使用される電子チケットを発行するサーバ装置である。電子チケットの発行とは、電子チケットの内容などを示す電子チケットデータを携帯端末３にダウンロードさせ、携帯端末３が電子チケットの情報を表示することを可能とすることである。
【００３２】
有効化端末２は、電子チケットデータの利用が予定される場所を含むエリアに設置される。有効化端末２として、例えばパーソナルコンピュータ、タブレット等が用いられる。電子チケットデータの利用が予定される場所は、例えばイベントが開催される会場である。有効化端末２は、例えば会場の入り口や、入り口に進むための通路等に設置されてもよい。有効化端末２は、発行された電子チケットに対応する電子チケットデータを有効化するための端末装置である。電子チケットデータの有効化とは、電子チケットデータに対応する電子チケットをイベントが開催される会場で利用可能とすることである。例えば、有効化された電子チケットのみが、会場に入場するために利用可能である。１つの会場に複数の有効化端末２が設置されてもよい。また、イベントが会場ごとに有効化端末２が設置されてもよい。有効化端末２は、ＣＰＵ（Central Processing Unit）、ＲＯＭ（Read Only Memory）、ＲＡＭ（Random Access Memory）等を備えるシステム制御部、ネットワークＮＷに接続するための通信部、携帯端末３との間で近距離無線通信を行うための近距離無線通信部、キーボードやマウス等の入力部、液晶ディスプレイ等の表示部を備える。この近距離無線通信で通信可能な距離の上限は、例えば数メートル〜数十メートル程度である。近距離無線通の規格は、例えばBluetooth（登録商標）規格（IEEE 802.15.1）であってもよい。
【００３３】
携帯端末３は、電子チケットシステムＳに会員として登録されたユーザが利用する携帯端末である。携帯端末３として、例えばスマートフォン、携帯電話機、ＰＤＡ（Personal Digital Assistant）、携帯ゲーム機等が用いられる。携帯端末３には電子チケットアプリが記憶される。電子チケットアプリは、携帯端末３に電子チケットに関する各種処理を行わせるためのアプリケーションプログラムである。ユーザは、携帯端末３を操作して電子チケットを購入する。その後、携帯端末３は、購入した電子チケットに対応する電子チケットデータを電子チケットサーバ１からダウンロードする。ユーザは、ユーザが属するグループの代表者となって、グループのメンバーの人数分の電子チケットを購入することができる。電子チケットの購入後、代表者は、電子チケットを他のメンバーに分配するための操作を行う。これにより、各メンバーは、そのメンバーの携帯端末３で電子チケットデータをダウンロードすることができる。携帯端末３が有効化端末２の無線通信圏内に入ると、携帯端末３は有効化端末２と通信して電子チケットデータを有効化する。その後ユーザが会場の入り口などに移動すると、携帯端末３は、入場処理に利用される。入場処理は、ユーザの入場を許可してよいか否かを電子チケットに基づいて判定する処理である。例えば、イベントのスタッフが携帯端末３に表示された電子チケットの情報を確認したり、スタッフが携帯端末３を使用して電子チケットをもぎる操作を行ったりしてもよい。例えば、携帯端末３のタッチパネルに表示された電子チケット上をスタッフが指などでスワイプ操作等することにより、もぎりが行われる。或いは、入り口に設置された改札機が、携帯端末３と近距離無線通信することにより又は携帯端末３に表示された電子チケットの情報を撮影することにより電子チケットを認証してもよい。この場合の近距離無線通信で通信可能な距離の上限は、例えば数ミリメートル〜数メートル程度である。
【００３４】
［１−２．電子チケットサーバの構成］
次に、電子チケットサーバの構成について、図２及び図３を用いて説明する。
【００３５】
図２は、本実施形態に係る電子チケットサーバの概要構成の一例を示すブロック図である。図２に示すように、電子チケットサーバは、通信部１１と、記憶部１２と、入出力インターフェース１３と、システム制御部１４と、を備えている。そして、システム制御部１４と入出力インターフェース１３とは、システムバス１５を介して接続されている。
【００３６】
通信部１１は、ネットワークＮＷに接続して携帯端末３等との通信状態を制御するようになっている。
【００３７】
記憶部１２は、例えば、ハードディスクドライブ等により構成されている。この記憶部１２には、会員ＤＢ１２ａ、チケットＤＢ１２ｂ、グループＤＢ１２ｃ等のデータベースが記憶される。「ＤＢ」は、データベースの略語である。
【００３８】
図３は、データベースに記憶される内容の一例を示す図である。会員ＤＢ１２ａには、電子チケットシステムＳに会員登録しているユーザに関する会員情報が記憶される。具体的に、会員ＤＢ１２ａには、ユーザＩＤ、パスワード、メールアドレス等がユーザごとに対応付けて記憶される。ユーザＩＤは、ユーザを識別するための情報である。パスワードは、電子チケットシステムＳにログインするための認証情報である。
【００３９】
チケットＤＢ１２ｂには、電子チケットに関する電子チケット管理情報が記憶される。具体的に、チケットＤＢ１２ｂには、チケット番号、イベント番号、ユーザＩＤ，再発行フラグ、利用フラグ、有効化フラグ等が、電子チケットごとに対応付けて記憶される。チケット番号は、電子チケットを識別するための情報である。イベント番号は、電子チケットを利用可能なイベント、そのイベントの開催日時及び開催場所を一意に識別するための情報である。ユーザＩＤは、電子チケットの発行先のユーザを示す。再発行フラグは、電子チケットが再発行されたか否かを示す。再発行されていない場合、再発行フラグはＦＡＬＳＥであり、再発行された場合、再発行フラグはＴＲＵＥである。利用フラグは、電子チケットが入場に利用されたか否かを示す。利用されていない場合、利用フラグはＦＡＬＳＥであり、利用された場合、利用フラグはＴＲＵＥである。有効化フラグは、電子チケットが有効化されたか否かを示す。有効化されていない場合、有効化フラグはＦＡＬＳＥであり、有効化された場合、有効化フラグはＴＲＵＥである。再発行フラグ、利用フラグ及び有効化フラグそれぞれの初期値はＦＡＬＳＥである。
【００４０】
グループＤＢ１２ｃには、グループで購入された電子チケットに関する情報が記憶される。具体的に、グループＤＢ１２ｃは、グループ番号、及び複数のチケット番号が、グループの代表者により複数の電子チケットが購入されるごとに対応付けて登録される。グループ番号は、グループを識別するための情報である。例えば、電子チケットサーバ１が自動的にグループ番号を決定する。複数のチケット番号は、グループの代表者が購入した複数の電子チケットの番号である。
【００４１】
記憶部１２には、ＯＳ、サーバプログラム等のプログラムが記憶される。サーバプログラムは、電子チケットデータが有効化されているか否かの判定等に用いられるプログラムである。サーバプログラム等は、例えば所定のサーバ装置からからネットワークＮＷを介してダウンロードされてもよい。或いは、サーバプログラム等は、メモリカード、光ディスク等の記録媒体に記録されてドライブ装置を介して読み込まれるようにしてもよい。また、サーバプログラム等は、プログラム製品であってもよい。
【００４２】
入出力インターフェース１３は、通信部１１及び記憶部１２とシステム制御部１４との間のインターフェース処理を行うようになっている。
【００４３】
システム制御部１４は、ＣＰＵ１４ａ、ＲＯＭ１４ｂ、ＲＡＭ１４ｃ等により構成されている。システム制御部１４は、記憶部１２に記憶された各種プログラムを実行する。例えば、電子チケットの購入に応じて、システム制御部１４は、電子チケットデータを生成する。電子チケットデータは、例えばチケット番号、イベント番号、イベントの名称、イベントの開催日、開始時刻、終了時刻、イベントの会場の名称等を含む。電子チケットデータは、更に可視属性、有効化状態、利用状態等を含んでもよい。可視属性は、電子チケットデータに対応する電子チケットの情報を表示可能であるか否かを示す。可視属性が「可視」である場合、電子チケットの情報を表示可能であり、可視属性が「不可視」である場合、電子チケットの情報を表示不可能である。可視属性が「可視」である電子チケットデータのみ、有効化が可能である。有効化状態は、電子チケットデータが有効化されたか否かを示す。有効状態が「未有効化」である場合、電子チケットデータが有効化されておらず、有効状態が「有効化済」である場合、電子チケットデータが有効化されている。利用状態は、電子チケットデータに対応する電子チケットが使用されたか否かを示す。利用状態が「未使用」である場合、電子チケットは使用されておらず、利用状態が「使用済」である場合、電子チケットは使用されている。システム制御部１４は、生成した電子チケットデータを携帯端末３へ送信する。システム制御部１４は、電子チケットデータを暗号化してもよい。
【００４４】
［１−３．携帯端末の構成］
次に、携帯端末３の構成について、図４を用いて説明する。
【００４５】
図４（ａ）は、本実施形態に係る携帯端末３の概要構成の一例を示すブロック図である。
【００４６】
図４（ａ）に示すように、携帯端末３は、移動体無線通信部３１と、近距離無線通信部３２と、入力部３３と、表示部３４と、記憶部３５と、入出力インターフェース３６と、システム制御部３７と、を備えている。そして、システム制御部３７と入出力インターフェース３６とは、システムバス３８を介して接続されている。
【００４７】
移動体無線通信部３１は、移動体通信ネットワークに利用するための無線通信機能を有する。移動体通信ネットワークは、例えば、電話用回線交換ネットワーク、及びインターネットに接続するためのデータ通信用パケット交換ネットワークを含む。移動体無線通信部３１は、アンテナを介して、最寄りの基地局との間で無線通信を行い、基地局及び移動体通信ネットワークを介してネットワークＮＷに接続する。携帯端末３は、移動体無線通信部３１を利用して電子チケットサーバ１との通信を行う。
【００４８】
近距離無線通信部３２は、数メートル〜数十メートル程度の通信距離を有する近距離無線通信機能を有する。近距離無線通の規格は、例えばBluetooth（登録商標）規格（IEEE 802.15.1）であってもよい。近距離無線通信部３２は、アンテナを介して、近距離無線通信機能を有する他の無線通信機器との間で無線通信を行う。携帯端末３は、近距離無線通信部３２を利用して有効化端末２との通信を行う。
【００４９】
入力部３３は、ユーザによる操作を受け付け、操作内容に対応する信号をシステム制御部３７に出力する。入力部３３の例として、キー、ボタン、スイッチ、タッチパネル等が挙げられる。
【００５０】
表示部３４は、システム制御部３７の制御により、画像、文字等の情報を表示する。表示部３４の例として、液晶ディスプレイ、有機ＥＬ（Light Emitting）ディスプレイ等が挙げられる。
【００５１】
記憶部３５は、例えば、フラッシュメモリ等の不揮発性メモリにより構成されている。記憶部３５には、ＯＳ、電子チケットアプリ等のプログラムが記憶される。電子チケットアプリは、例えば電子チケットサーバ１からネットワークＮＷを介してダウンロードされてもよい。或いは、電子チケットアプリは、メモリカード、光ディスク等の記録媒体に記録されてドライブ装置を介して読み込まれるようにしてもよい。また、電子チケットアプリは、プログラム製品であってもよい。また、記憶部３５には、ダウンロードされた電子チケットデータが記憶される。なお、携帯端末３は、耐タンパ性を有するセキュアエレメントを備えてもよい。このセキュアエレメントに、電子チケットデータが記憶されてもよい。
【００５２】
入出力インターフェース３６は、通信部３１〜記憶部３５とシステム制御部３７との間のインターフェース処理を行うようになっている。
【００５３】
システム制御部３７は、ＣＰＵ３７ａ、ＲＯＭ３７ｂ、ＲＡＭ３７ｃ等により構成されている。
【００５４】
［１−４．携帯端末のシステム制御部の機能概要］
次に、図４乃至図８を用いて、システム制御部３７の機能概要について説明する。図４（ｂ）は、本実施形態に係る携帯端末３のシステム制御部３７の機能ブロックの一例を示す図である。システム制御部３７は、ＣＰＵ３７ａが、電子チケットアプリに含まれる各種コードを読み出し実行することにより、図４（ｂ）に示すように、チケットデータ取得部３７１、利用要求受付部３７２、チケット情報表示制御部３７３、有効化確認要求送信部３７４、有効化命令受信部３７５、有効化部３７６等として機能する。チケットデータ取得部３７１は、本発明の取得手段の一例である。利用要求受付部３７２は、本発明の受付手段の一例である。チケット情報表示制御部３７３は、本発明の表示制御手段の一例である。有効化確認要求送信部３７４は、本発明の送信手段の一例である。有効化命令受信部３７５は、本発明の受信手段の一例である。有効化部３７６は、本発明の有効化手段の一例である。
【００５５】
電子チケットを利用するためには、電子チケットデータを記憶した携帯端末３をユーザが会場に持って行く必要がある。しかしながら、ユーザが携帯端末３を使用することができない状態となる場合がある。例えば、ユーザが携帯端末３を持って行くことを忘れたり、携帯端末３の電池切れ、紛失、盗難、故障等があったりした場合である。この場合、ユーザは電子チケットを利用することができない。そこで、ユーザが属するグループの代表者となって複数の電子チケットを購入した場合、代表者の携帯端末３は、グループのメンバー全員分の電子チケットデータを電子チケットサーバ１からダウンロードする。代表者以外のメンバーのうち何れかのメンバーが携帯端末を利用することができない状態となった場合、代表者の携帯端末３は、ユーザ操作に基づいてそのメンバーの電子チケットが代表者の携帯端末３で利用可能とするように制御する。
【００５６】
チケットデータ取得部３７１は、少なくともそのチケットデータ取得部３７１が機能する携帯端末３のユーザに対して発行される電子チケットデータを電子チケットサーバ１から取得して記憶部３５に記憶させる。このときの電子チケットデータの可視属性は「可視」であり、有効化状態は「未有効化」であり、利用状態は「未使用」である。
【００５７】
グループの代表者が利用する携帯端末３のチケットデータ取得部３７１は、代表者に対して発行される電子チケットデータと、グループの他のメンバーに対して発行される電子チケットデータとを含む複数の電子チケットデータを取得する。この場合、代表者に対して発行される電子チケットデータの可視属性は「可視」であり、グループの他のメンバーに対して発行される電子チケットデータの可視属性は「不可視」である。電子チケットサーバ１が可視属性を設定してもよいし、チケットデータ取得部３７１が可視属性を設定してもよい。電子チケットの購入の処理が終わった後、又は購入された電子チケットの分配先の指定が終わった後に、チケットデータ取得部３７１は、グループのメンバー全員分の電子チケットデータをダウンロードしてもよい。代表者が利用する携帯端末３が複数の電子チケットをダウンロードした時点では、代表者に対して発行された電子チケットデータのみ、有効化が可能である。
【００５８】
なお、電子チケットデータは、可視属性、有効化状態及び利用状態を含まなくてもよい。可視属性、有効化状態及び利用状態は、電子チケットデータに対応付けて記憶部３５に記憶されてもよい。
【００５９】
図５（ａ）は、グループの各メンバーの携帯端末３に電子チケットデータがダウンロードされたときの電子チケットデータの状態とチケットＤＢ１２ｂの内容の一例を示す図である。ユーザＵ１〜Ｕ３で構成されるグループにおいて、ユーザＵ１が代表者である。ユーザＵ１は３枚の電子チケットを購入する。ユーザＵ１が利用する携帯端末３−１は、電子チケットデータＥ１〜Ｅ３をダウンロードして記憶する。電子チケットデータＥ１は、ユーザＵ１に対して発行される電子チケットであり、電子チケットデータＥ２は、ユーザＵ２に対して発行される電子チケットであり、電子チケットデータＥ３は、ユーザＵ３に対して発行される電子チケットである。電子チケットデータＥ１の可視属性は「可視」であり、電子チケットデータＥ２及びＥ３それぞれの可視属性は「不可視」である。従って、携帯端末３−１は、電子チケットデータＥ１のみを表示部３４に表示可能である。ユーザＵ２が利用する携帯端末３−２は電子チケットデータＥ２をダウンロードし、ユーザＵ２が利用する携帯端末３−３は電子チケットデータＥ３をダウンロードする。これらの電子チケットデータの可視属性は「可視」である。図５（ａ）において、可視属性が「可視」である電子チケットデータは実線で示され、可視属性が「不可視」である電子チケットデータは破線で示される。チケットＤＢ１２ｂにおいて、電子チケットデータＥ１〜Ｅ３それぞれの再発行フラグ、利用フラグ、有効化フラグはそれぞれＦＡＬＳＥ（バツ印）である。
【００６０】
代表者が所有する携帯端末３の利用要求受付部３７２は、グループの他のメンバーに対して発行された電子チケットデータの利用要求を受け付ける。代表者の携帯端末３で電子チケットデータを利用しようとするメンバーを「利用要求者」という。利用要求者は、基本的には携帯端末３を使用することができない状態になったメンバー、或いは現在は使用可能であるが会場での入場処理時には携帯端末３を使用することができない蓋然性があるメンバーである。携帯端末３を使用することができない蓋然性がある状態とは、例えば携帯端末３の電池が入場までにもたない蓋然性があること等が挙げられる。利用要求は、例えば利用要求者に対して発行された電子チケットデータを代表者の携帯端末３で利用可能とすることの要求である。入力部３３に対する操作により利用要求が入力される。利用要求の入力の操作は利用要求者、代表者、及び他のメンバーのうち誰が行ってもよい。利用要求の入力の際、操作するユーザは、例えば利用要求者のユーザＩＤ又は電子チケットデータのチケット番号を入力又は選択する。利用要求受付部３７２は、記憶部３５に記憶された電子チケットデータのうち、ユーザＩＤ又はチケット番号で特定される電子チケットデータの可視属性を「可視」に変更する。これにより、利用要求者の電子チケットデータの有効化が可能な状態となる。利用要求者の電子チケットデータが代表者の携帯端末３で有効化が可能な状態となることを、便宜上電子チケットデータの「再発行」という。その後、利用要求受付部３７２は、再発行フラグ更新要求を電子チケットサーバ１へ送信してもよいししなくてもよい。再発行フラグ更新要求は、可視化された電子チケットデータのチケット番号を含む。電子チケットサーバ１は、チケットＤＢ１２ｂにおいて、再発行フラグ更新要求に含まれるチケット番号の再発行フラグをＴＲＵＥに変更する。なお、利用要求受付部３７２は、再発行フラグがＦＡＬＳＥである場合にのみ、利用要求者の電子チケットデータを再発行してもよい。
【００６１】
利用要求受付部３７２は、利用要求とともに、他のメンバーの認証情報を受け付けてもよいし受け付けなくてもよい。認証情報の例として、パスワード、暗証番号、ＰＩＮコード等の文字や記号の情報、指紋、声紋等の生体情報が挙げられる。利用要求受付部３７２は、認証情報に基づいて利用要求者が認証された場合にのみ、利用要求者の電子チケットデータを再発行してもよい。これにより、利用要求者が意図しないで電子チケットデータの利用要求が行われることを防止することができる。認証処理は携帯端末３及び電子チケットサーバ１の何れが行ってもよい。携帯端末３又は電子チケットサーバ１は、例えば入力されたパスワードと会員ＤＢ１２ａに予め記憶されているパスワードとを比較して、認証処理を行ってもよい。或いは、グループの各メンバーが携帯端末３で電子チケットデータをダウンロードするとき、携帯端末３は、その電子チケットデータ専用の認証情報をメンバーに登録させてもよい。携帯端末３又は電子チケットサーバ１は、利用要求とともに入力された認証情報と、ダウンロードの際に登録された認証情報とを比較して、認証処理を行ってもよい。
【００６２】
図５（ｂ）は、利用要求が受け付けられたときの電子チケットデータの状態とチケットＤＢ１２ｂの内容の一例を示す図である。ユーザＵ２が携帯端末３−２を利用することができなくなったため、ユーザＵ２はユーザＵ１から携帯端末３−１を借りる。そしてユーザＵ２は、携帯端末３−１を操作して利用要求を入力する。利用要求を受け付けた携帯端末３−１は、携帯端末３−１が記憶する電子チケットデータＥ２の可視属性を「可視」に変更する。また、チケットＤＢ１２ｂにおいて、電子チケットデータＥ２の再発行フラグがＴＲＵＥ（丸印）に変更される。
【００６３】
チケット情報表示制御部３７３は、少なくともそのチケット情報表示制御部３７３が機能する携帯端末３の所有者に対して発行された電子チケットデータに対応する電子チケットの情報を表示部４に表示する。例えばユーザによる入力部３３の操作に応じて、チケット情報表示制御部３７３は電子チケットの情報を表示する。電子チケットの情報は、例えばチケット番号、イベントの名称、イベントの開催日、開始時刻、終了時刻、イベントの会場の名称等を含む。代表者の携帯端末３の場合、その携帯端末３のチケット情報表示制御部３７３は、代表者に対して発行された電子チケットデータに対応する電子チケットの情報と、利用要求が受け付けられた電子チケットデータに対応する電子チケットの情報とを表示する。具体的には、チケット情報表示制御部３７３は、可視属性が「可視」である電子チケットデータに対応する電子チケットの情報を表示する。１つのイベントに対して複数の電子チケットの情報を表示可能であるとき、チケット情報表示制御部３７３は、複数の電子チケットの情報を同時に表示してもよいし、ユーザの操作に基づいて複数の電子チケットの情報を順次表示してもよい。
【００６４】
有効化確認要求送信部３７４は、携帯端末３が有効化端末２の無線通信圏内に入った際に、携帯端末３に記憶された電子チケットデータであって、少なくとも携帯端末３の所有者に対して発行された電子チケットデータが有効化されているか否かを確認する有効化確認要求を有効化端末２へ送信する。代表者が所有する携帯端末３の場合、その携帯端末３の有効化確認要求送信部３７４は、代表者に対して発行された電子チケットデータと、利用要求が受け付けられた電子チケットデータとがそれぞれ有効化されているか否かを確認する有効化確認要求を送信する。具体的には、有効化確認要求送信部３７４は、可視属性が「可視」である電子チケットデータについて有効化確認要求を送信する。有効化確認要求送信部３７４は、電子チケットデータごとに有効化確認要求を送信してもよいし、可視属性が「可視」である全ての電子チケットデータについてまとめて１つの有効化確認要求を送信してもよい。有効化確認要求は、電子チケットデータに対応するチケット番号を含む。
【００６５】
電子チケットサーバ１及び有効化端末２は、それぞれ電子チケットデータが有効化されているか否かの確認のための処理を行う。電子チケットデータが有効化されているかの確認は、電子チケットサーバ１及び有効化端末２の何れが行ってもよい。例えば、有効化端末２は、電子チケットデータが有効化されているか否かの確認のための処理として、携帯端末３から受信した有効化確認要求を電子チケットサーバ１へ転送する。有効化確認要求を受信した電子チケットサーバ１は、チケットＤＢ１２ｂにおいて、有効化確認要求された電子チケットデータのチケット番号に対応する有効化フラグを確認する。電子チケットサーバ１は、有効化確認要求された電子チケットデータのうち、有効化フラグがＦＡＬＳＥである電子チケットデータを有効化させる有効化命令を有効化端末２へ送信する。また、電子チケットサーバ１は、有効化確認要求された電子チケットデータに対応する有効化フラグのうち、ＦＡＬＳＥである有効化フラグをＴＲＵＥに変更する。有効化端末２は、電子チケットサーバ１から受信した有効化命令を携帯端末３へ転送する。有効化命令受信部３７５は、有効化端末２から送信された有効化命令を受信する。
【００６６】
有効化部３７６は、有効化命令受信部３７５により受信された有効化命令に応じて、まだ有効化されていない電子チケットデータを利用することができるように有効化する処理を行う。例えば、有効化部３７６は、電子チケットデータに対応する有効化状態を「有効化済」に変更する。例えば、有効化状態が「有効化済」になった電子チケットの表示部３４上の表示態様（例えば、もぎり又は入場が可能であることを示す表示態様）が、有効化状態が「未有効化」のときの表示態様（例えば、もぎり又は入場が可能ではないことを示す表示態様）から変化してもよい。例えば、電子チケットの色又は模様の一部又は全部が変化したり、入場用の画像、コード又は文字が表示されたりしてもよい。これにより、電子チケットを利用可能であることをイベントのスタッフが認識することができたり、改札機が画像で認識したりすることができる。或いは、有効化状態が「未有効化」の場合は、もぎり又は入場処理のための電子チケットの画面の表示ができないようになっており、有効化状態が「有効化済」の場合は、そのような画面の表示が可能であってもよい。或いは、こうした表示態様の変更に加えて又は表示態様の変更なくして、有効化部３７６は、有効化状態が「有効化済」である電子チケットのみ、スタッフによるもぎりの操作が行えるようにしてもよい。或いは、表示態様の変更に加えて又は表示態様の変更なくして、有効化部３７６は、有効化状態が「有効化済」である電子チケットについてのみ入場が許可されるよう、会場に設置された改札機と通信してもよい。このような電子チケットデータの利用の処理を実行し又は検出すると、携帯端末３又は改札機は、利用された電子チケットデータのチケット番号を含む利用フラグ更新要求を電子チケットサーバ１へ送信する。電子チケットサーバ１は、チケットＤＢ１２ｂにおいて、利用フラグ更新要求に含まれるチケット番号に対応する利用フラグをＴＲＵＥに変更する。チケット情報表示制御部３７３は、有効化確認要求を送信したにもかかわらず有効化命令が受信されなかった電子チケットデータ、すなわち別の携帯端末３において既に有効化されている電子チケットデータの画面を、無効表示としてもよい。
【００６７】
図６は、携帯端末３−１及び３−３が有効化端末２の無線通信圏内ＡＲ１に入ったときの電子チケットデータの状態とチケットＤＢ１２ｂの内容の一例を示す図である。ユーザＵ１〜Ｕ３は一緒に会場の入り口付近に行ったとする。このとき、携帯端末３−１においては電子チケットデータＥ１及びＥ２の可視属性は「可視」であり、チケットＤＢ１２ｂにおいて電子チケットデータＥ１及びＥ２の有効化フラグはＦＡＬＳＥである。従って、携帯端末３−１の電子チケットデータＥ１及びＥ２は有効化される。携帯端末３−２に記憶された電子チケットデータＥ２の状態は変化しない。また、ＤＢ１２ｂにおいて電子チケットデータＥ１及びＥ２の有効化フラグはＴＲＵＥに変更される。携帯端末３−３においては電子チケットデータＥ３が可視化されており、チケットＤＢ１２ｂにおいて電子チケットデータＥ３の有効化フラグはＦＡＬＳＥである。従って、携帯端末３−３の電子チケットデータＥ３は有効化される。また、ＤＢ１２ｂにおいて電子チケットデータＥ３の有効化フラグはＴＲＵＥに変更される。これにより、ユーザＵ２は携帯端末３−１で電子チケットＥ２を利用することができる。
【００６８】
図７は、携帯端末３−２が有効化端末２の無線通信圏内ＡＲ１に入ったときの電子チケットデータの状態とチケットＤＢ１２ｂの内容の一例を示す図である。図６が示す有効化の後、誰かが携帯端末３−２を持って会場の入り口付近に行ったとする。携帯端末３−２が無線通信圏内ＡＲ１に入ることにより携帯端末３−２が有効化確認要求を送信する時点で、電子チケットデータＥ２の有効化フラグは既にＴＲＵＥに設定されている状態である。従って、携帯端末３−２に記憶された電子チケットデータＥ２は有効化されない。従って、携帯端末３−２では電子チケットＥ２を利用することができない。
【００６９】
以上説明した各部の処理により次に説明する効果が奏される。代表者の携帯端末３において予めダウンロードされた利用要求者の電子チケットデータの有効化が可能となることにより、利用要求者の電子チケットデータが二重に発行されることになる。代表者が自分の携帯端末３を持って利用要求者とともに会場に行くことにより、代表者及び利用要求者の電子チケットデータが有効化される。その後に利用要求者の携帯端末３を持って誰かが会場に入ってもその携帯端末３に記憶された電子チケットデータは有効化されない。従って、利用要求者が電子チケットデータを取得した携帯端末を利用できない状況であっても、電子チケットデータが二重に利用されることを防止しつつ、その電子チケットデータの利用が予定される会場等の場所で利用要求者が電子チケットデータを適正に利用することができる。
【００７０】
［１−５．変形例］
グループの各メンバーの携帯端末３がメンバー全員の電子チケットデータをダウンロードしてもよい。これにより、代表者が所有する携帯端末３を代表者が利用することができない状態であっても、他のメンバーの携帯端末３で代表者は電子チケットを利用することができる。また、グループのメンバーのうち少なくとも１人のメンバーの携帯端末３が利用可能であれば、メンバー全員が電子チケットを利用可能となる。この場合、各メンバーの携帯端末３の利用要求受付部３７２が利用要求を受け付けることができる。
【００７１】
図８は、グループの各メンバーの携帯端末３に電子チケットデータがダウンロードされたときの電子チケットデータの状態とチケットＤＢ１２ｂの内容の一例を示す図である。携帯端末３−１〜３−３のそれぞれが、電子チケットデータＥ１〜Ｅ３をダウンロードして記憶する。携帯端末３−１において、電子チケットデータＥ１の可視属性は「可視」であり、電子チケットデータＥ２及びＥ３それぞれの可視属性は「不可視」である。携帯端末３−２において、電子チケットデータＥ２の可視属性は「可視」であり、電子チケットデータＥ１及びＥ３それぞれの可視属性は「不可視」である。携帯端末３−３において、電子チケットデータＥ３の可視属性は「可視」であり、電子チケットデータＥ１及びＥ２それぞれの可視属性は「不可視」である。
【００７２】
［１−６．電子チケットシステムの動作］
次に、電子チケットシステムＳの動作について、図９乃至図１１を用いて説明する。図９（ａ）、図９（ｃ）、図１１（ｂ）は、電子チケットサーバ１において実行される処理を示す。電子チケットサーバ１のシステム制御部１４は、サーバプログラムに含まれる各種コードに従って、これらの図に示される処理を実行する。図９（ｂ）、図１０（ａ）、図１０（ｂ）、図１１（ａ）は、携帯端末３において実行される処理である。携帯端末３のシステム制御部３７は、電子チケットアプリに含まれる各種コードに従って、これらの図に示される処理を実行する。
【００７３】
図９（ａ）は、本実施形態に係る電子チケットサーバ１のシステム制御部１４による代表者用電子チケット送信処理の一例を示す図である。グループの代表者の操作に基づいて、代表者の携帯端末３は電子チケットアプリを起動して電子チケットサーバ１にアクセスする。ここで代表者はユーザＩＤ及びパスワードを入力して電子チケットシステムＳにログインする。代表者は、電子チケットシステムＳにおいて、イベント名、開催日時、購入する電子チケットの数などを選択する。これに応じて、電子チケットサーバ１は、電子チケットの決済処理を行う。電子チケットの購入後、代表者は電子チケットを分配するための操作を行う。例えば、代表者は、分配先のメンバーごとに、そのメンバーを特定するための情報を入力する。メンバーを特定するための情報として、例えばユーザＩＤ、メールアドレス等が挙げられる。電子チケットサーバ１は、購入された枚数分の電子チケットのチケット番号を決定し、決定された複数のチケット番号と新しく決定したグループ番号とを対応付けてグループＤＢ１２ｃに記憶させる。例えばこの後に、電子チケットサーバ１のシステム制御部１４は、代表者用電子チケット送信処理を実行する。
【００７４】
図９（ａ）に示すように、システム制御部１４は、番号ｉを１に設定する（ステップＳ１）。次いで、システム制御部１４は、番号ｉが１であるか否かを判定する（ステップＳ２）。このとき、システム制御部１４は、番号ｉが１であると判定した場合には（ステップＳ２：ＹＥＳ）、処理をステップ３に進める。一方、システム制御部１４は、番号ｉが１ではないと判定した場合には（ステップＳ２：ＮＯ）、処理をステップ５に進める。
【００７５】
ステップＳ３において、システム制御部１４は、代表者に発行される電子チケットデータを生成する。このとき、システム制御部１４は、電子チケットデータの可視属性を「可視」に設定する。また、システム制御部１４は、有効化状態を「未有効化」に設定し、利用状態を「未利用」に設定する。また、システム制御部１４は、グループＤＢ１２ｃにグループ番号と対応付けて記憶されたチケット番号のうちｉ番目のチケット番号を電子チケットデータに格納する。次いで、システム制御部１４は、代表者のユーザＩＤを、生成された電子チケットデータのチケット番号に対応付けてチケットＤＢ１２ｂに記憶させる（ステップＳ４）。
【００７６】
ステップＳ５において、システム制御部１４は、代表者以外の他のメンバーに発行される電子チケットデータを生成する。このとき、システム制御部１４は、電子チケットデータの可視属性を「不可視」に設定する。また、システム制御部１４は、有効化状態を「未有効化」に設定し、利用状態を「未利用」に設定する。また、システム制御部１４は、グループＤＢ１２ｃにグループ番号と対応付けて記憶されたチケット番号のうちｉ番目のチケット番号を電子チケットデータに格納する。
【００７７】
ステップＳ４又は５を終えると、システム制御部１４は、チケットＤＢ１２ｂにおいて、生成された電子チケットデータのチケット番号に対応する再発行フラグ、利用フラグ、有効化フラグをそれぞれＦＡＬＳＥに設定する（ステップＳ６）。次いで、システム制御部１４は、生成された電子チケットデータを代表者の携帯端末３へ送信する（ステップＳ７）。次いで、システム制御部１４は、番号ｉが、購入された電子チケットの枚数未満であるか否かを判定する（ステップＳ８）。このとき、システム制御部１４は、番号ｉが購入された電子チケットの枚数未満であると判定した場合には（ステップＳ８：ＹＥＳ）、処理をステップ９に進める。ステップＳ９において、システム制御部１４は、番号ｉを１増加させて、ステップＳ２に処理を進める。一方、システム制御部１４は、番号ｉが購入された電子チケットの枚数未満ではないと判定した場合には（ステップＳ８：ＮＯ）、代表者用電子チケット送信処理を終了させる。
【００７８】
図９（ｂ）は、本実施形態に係る携帯端末３のチケットデータ取得部３７１による代表者用電子チケット受信処理の一例を示す図である。代表者用電子チケット受信処理は、代表者の携帯端末３において実行される。図９（ｂ）に示すように、チケットデータ取得部３７１は、代表者用電子チケット送信処理により電子チケットサーバ１から送信されてきた複数の電子チケットデータを受信する。チケットデータ取得部３７１は受信した電子チケットデータを記憶部３５に記憶させる（ステップＳ１１）。このとき、チケットデータ取得部３７１は、グループの代表者以外のメンバーに発行された電子チケットデータに対応付けて、そのメンバーのユーザＩＤ又はメールアドレスを記憶部３５に記憶させる。電子チケットデータを記憶部３５に記憶させると、チケットデータ取得部３７１は、代表者用電子チケット受信処理を終了させる。
【００７９】
図９（ｃ）は、本実施形態に係る電子チケットサーバ１のシステム制御部１４による非代表者用電子チケット送信処理の一例を示す図である。代表者用電子チケット送信処理の後、電子チケットサーバ１は、例えば代表者により指定された各分配先のメンバー宛ての電子チケットダウンロード用メールを送信する。電子チケットダウンロード用メールには、あて先のメンバーに分配される電子チケットデータをダウンロードするためのＵＲＬが記載された電子メールである。このＵＲＬは、例えばあて先のメンバーに分配される電子チケットデータのチケット番号を含んでもよい。分配先のメンバーの携帯端末３は、そのメンバーの操作に基づいて電子チケットダウンロード用メールを受信及び表示する。メンバーがそのメールに記載されたＵＲＬを選択すると、携帯端末３は電子チケットアプリを起動して電子チケットサーバ１にアクセスする。ここでメンバーはユーザＩＤ及びパスワードを入力して、電子チケットシステムＳにログインする。このようにしてメンバーがログインしたときに、電子チケットサーバ１のシステム制御部１４は、非代表者用電子チケット送信処理を実行する。
【００８０】
図９（ｃ）に示すように、システム制御部１４は、分配される電子チケットデータを生成する（ステップＳ２１）。このとき、システム制御部１４は、電子チケットデータの可視属性を「可視」に設定する。また、システム制御部１４は、有効化状態を「未有効化」に設定し、利用状態を「未利用」に設定する。次いで、システム制御部１４は、分配先のメンバーのユーザＩＤを、生成された電子チケットデータのチケット番号に対応付けてチケットＤＢ１２ｂに記憶させる（ステップＳ２２）。次いで、システム制御部１４は、生成された電子チケットデータを、分配先のメンバーの携帯端末３へ送信して（ステップＳ２３）、非代表者用電子チケット送信処理を終了させる。分配先のメンバーの携帯端末３は、電子チケットサーバ１から送信されてきた電子チケットデータを受信して記憶部３５に記憶させる。
【００８１】
なお、電子チケットサーバ１は、代表者用電子チケット送信処理により代表者以外の他のメンバーに発行される電子チケットデータを生成したとき、この電子チケットデータをチケットＤＢ１２ｂに記憶させておいてもよい。この場合、非代表者用電子チケット送信処理において、電子チケットサーバ１は、記憶された電子チケットデータを、分配先のメンバーの携帯端末３へ送信してもよい。或いは、代表者用電子チケット送信処理により代表者の携帯端末３が複数の電子チケットデータをダウンロードした後、代表者が電子チケットを分配するための操作を行うように電子チケットシステムＳが構成されてもよい。この場合、代表者による分配先の指定により、携帯端末３は、分配先のメンバーに発行される電子チケットデータを電子チケットサーバ１にアップロードしてもよい。非代表者用電子チケット送信処理において、電子チケットサーバ１は、代表者の携帯端末３から取得した電子チケットデータを、分配先のメンバーの携帯端末３へ送信してもよい。何れの場合であっても、電子チケットサーバ１又は分配先のメンバーの携帯端末３は、分配先のメンバーの電子チケットデータの可視属性を「可視」に変更する。
【００８２】
図１０（ａ）は、本実施形態に係る携帯端末３のシステム制御部３７による利用要求受付処理の一例を示す図である。利用要求受付処理は、代表者の携帯端末３において実行される。電子チケットアプリのメニューにおいて、ユーザは電子チケットの再発行を選択する。携帯端末３のシステム制御部３７は、その携帯端末３の所有者がグループの代表者としてこれまで購入した電子チケットに対応するイベントの一覧を表示する。ユーザは、一覧の中から所望のイベントを選択する。システム制御部３７は、選択されたイベントのイベント番号に対応する全ての電子チケットデータを記憶部３５から特定する。次いで、システム制御部３７は、特定された電子チケットデータのうち可視属性が「不可視」である電子チケットデータに関する情報を一覧表示する。例えば、システム制御部３７は、電子チケットデータのチケット番号、その電子チケットデータが発行されたメンバーのユーザＩＤ又はメールアドレスの一覧を表示してもよい。ユーザは、表示された一覧から再発行する電子チケットデータを選択する。こうして、システム制御部３７は、電子チケットデータの利用要求を受け付ける。次いで、システム制御部３７は、パスワードの入力領域を表示し、ユーザは、利用要求者のパスワードを入力する。パスワードが入力されると、システム制御部３７は、利用要求受付処理を実行する。
【００８３】
図１０（ａ）に示すように、利用要求受付部３７２は、認証制御処理を実行する（ステップＳ３１）。例えば、利用要求受付部３７２は、選択された電子チケットデータのチケット番号及び入力されたパスワードを電子チケットサーバ１へ送信する。電子チケットサーバ１のシステム制御部１４は、受信されたチケット番号に対応するユーザＩＤをチケットＤＢ１２ｂから取得する。次いで、システム制御部１４は、取得したユーザＩＤに対応するパスワードを会員ＤＢ１２ａから取得する。次いで、システム制御部１４は、ユーザＩＤに対応するパスワードと携帯端末３から受信したパスワードとを比較する。パスワードが一致する場合、システム制御部１４は、認証許可応答を携帯端末３へ送信する。パスワードが一致しない場合、システム制御部１４は、認証拒否応答を携帯端末３へ送信する。
【００８４】
電子チケットサーバ１から認証許可応答又は認証拒否応答を受信すると、利用要求受付部３７２は、利用要求者が認証されたか否かを判定する（ステップＳ３２）。電子チケットサーバ１から認証許可応答が受信された場合、利用要求受付部３７２は、利用要求者が認証されたと判定する（ステップＳ３２：ＹＥＳ）。この場合、利用要求受付部３７２は、処理をステップＳ３３に進める。一方、電子チケットサーバ１から認証拒否応答が受信された場合、利用要求受付部３７２は、利用要求者が認証されなかったと判定する（ステップＳ３２：ＮＯ）。この場合、利用要求受付部３７２は、処理をステップＳ３５に進める。
【００８５】
ステップＳ３３において、利用要求受付部３７２は、利用要求された電子チケットデータの可視属性を「可視」に変更する。次いで、利用要求受付部３７２は、利用要求された電子チケットデータのチケット番号を含む再発行フラグ更新要求を電子チケットサーバ１へ送信して（ステップＳ３４）、利用要求受付処理を終了させる。携帯端末３から再発行フラグ更新要求を受信した電子チケットサーバ１のシステム制御部１４は、チケットＤＢ１２ｂにおいて、再発行フラグ更新要求に含まれるチケット番号に対応する再発行フラグをＴＲＵＥに変更する。ステップＳ３５において、利用要求受付部３７２は、エラー表示を行って利用要求受付処理を終了させる。
【００８６】
図１０（ｂ）は、本実施形態に係る携帯端末３のチケット情報表示制御部３７３による電子チケット表示処理の一例を示す図である。電子チケット表示処理は、代表者及びグループの他のメンバーの何れの携帯端末３においても実行される。電子チケットアプリのメニューにおいて、ユーザは電子チケットの表示を選択する。携帯端末３のチケット情報表示制御部３７３は、その携帯端末３が記憶している電子チケットデータに対応するイベントの一覧を表示する。ユーザは、一覧の中から所望のイベントを選択する。イベントが選択されると、チケット情報表示制御部３７３は電子チケット表示処理を実行する。
【００８７】
図１０（ｂ）に示すように、チケット情報表示制御部３７３は、番号ｉを１に設定する（ステップＳ４１）。また、チケット情報表示制御部３７３は、選択されたイベントのイベント番号に対応する全ての電子チケットデータを記憶部３５から特定する。次いで、チケット情報表示制御部３７３は、特定された電子チケットデータのうちｉ番目の電子チケットデータの可視属性が「可視」であるか否かを判定する（ステップＳ４２）。このとき、チケット情報表示制御部３７３は、可視属性が「可視」であると判定した場合には（ステップＳ４２：ＹＥＳ）、処理をステップＳ４３に進める。一方、チケット情報表示制御部３７３は、可視属性が「可視」ではないと判定した場合には（ステップＳ４２：ＮＯ）、処理をステップＳ４４に進める。
【００８８】
ステップＳ４３において、チケット情報表示制御部３７３は、ｉ番目の電子チケットデータに対応する電子チケットの情報を表示部３４に表示させる。このとき、チケット情報表示制御部３７３は、ｉ番目の電子チケットデータの有効化状態及び利用状態に応じた表示態様で、電子チケットの情報を表示させる。次いで、チケット情報表示制御部３７３は、番号ｉが、選択されたイベントのイベント番号に対応する電子チケットデータの数未満であるか否かを判定する（ステップＳ４４）。このとき、チケット情報表示制御部３７３は、番号ｉが電子チケットデータの数未満であると判定した場合には（ステップＳ４４：ＹＥＳ）、処理をステップＳ４５に進める。ステップＳ４５において、チケット情報表示制御部３７３は、番号ｉを１増加させて、処理をステップＳ４２に進める。一方、チケット情報表示制御部３７３は、番号ｉが電子チケットデータの数未満ではないと判定した場合には（ステップＳ４４：ＮＯ）、電子チケット表示処理を終了させる。
【００８９】
図１１（ａ）は、本実施形態に係る携帯端末３の有効化部３７６による有効化制御処理の一例を示す図である。有効化制御処理は、代表者及びグループの他のメンバーの何れの携帯端末３においても実行される。携帯端末３を持ったユーザが移動することにより携帯端末３が有効化端末２の無線通信圏内に入る。すると、携帯端末３は、イベント番号要求を有効化端末２へ送信する。イベント番号要求を受信した有効化端末２は、有効化端末２が対応するイベントのイベント番号を携帯端末３へ送信する。有効化端末２からイベント番号を受信すると、有効化部３７６は、有効化制御処理を実行する。
【００９０】
図１１（ａ）に示すように、有効化部３７６は、番号ｉを１に設定する（ステップＳ５１）。また、有効化部３７６は、受信したイベント番号に対応する全ての電子チケットデータを記憶部３５から特定する。次いで、有効化部３７６は、特定された電子チケットデータのうちｉ番目の電子チケットデータの可視属性が「可視」であるか否かを判定する（ステップＳ５２）。このとき、有効化部３７６は、可視属性が「可視」であると判定した場合には（ステップＳ５２：ＹＥＳ）、処理をステップＳ５３へ進める。一方、有効化部３７６は、可視属性が「可視」ではないと判定した場合には（ステップＳ５２：ＮＯ）、処理をステップＳ５８へ進める。
【００９１】
ステップＳ５３において、有効化部３７６は、ｉ番目の電子チケットデータの有効化状態が「未有効化」であるか否かを判定する。このとき、有効化部３７６は、有効化状態が「未有効化」である場合には（ステップＳ５３：ＹＥＳ）、処理をステップＳ５４へ進める。一方、有効化部３７６は、有効化状態が「未有効化」ではない場合には（ステップＳ５３：ＮＯ）、処理をステップＳ５８へ進める。
【００９２】
ステップＳ５４において、有効化確認要求送信部３７４は、ｉ番目の電子チケットデータのチケット番号を含む有効化確認要求を有効化端末２へ送信する。有効化端末２は、携帯端末３から送信されてきた有効化確認要求を電子チケットサーバ１へ転送する。
【００９３】
図１１（ｂ）は、本実施形態に係る電子チケットサーバ１のシステム制御部１４による有効化確認要求受信処理の一例を示す図である。電子チケットサーバ１が有効化端末２から有効化確認要求を受信したとき、システム制御部１４は有効化確認要求受信処理を実行する。
【００９４】
図１１（ｂ）に示すように、システム制御部１４は、チケットＤＢ１２ｂにおいて、有効化確認要求に含まれるチケット番号に対応する有効化フラグがＦＡＬＳＥであるか否かを判定する（ステップＳ６１）。このとき、システム制御部１４は、有効化フラグがＦＡＬＳＥであると判定した場合には（ステップＳ６１：ＹＥＳ）、処理をステップＳ６２へ進める。ステップＳ６２において、システム制御部１４は、有効化命令を有効化端末２へ送信する。次いで、システム制御部１４は、チケットＤＢ１２ｂにおいて、チケット番号に対応する有効化フラグをＴＲＵＥに変更して（ステップＳ６３）、有効化確認要求受信処理を終了させる。一方、システム制御部１４は、有効化フラグがＦＡＬＳＥではないと判定した場合には（ステップＳ６１：ＮＯ）、処理をステップＳ６４へ進める。ステップＳ６４において、システム制御部１４は、有効化禁止命令を有効化端末２へ送信して、有効化確認要求受信処理を終了させる。有効化端末２は、電子チケットサーバ１から送信されてきた有効化命令又は有効化禁止命令を携帯端末３へ転送する。
【００９５】
図１１（ａ）に示すように、有効化命令受信部３７５は、有効化端末２から、利用要求に対する応答を受信する（ステップＳ５５）。次いで、有効化部３７６は、応答が有効化命令であるか否かを判定する（ステップＳ５６）。このとき、有効化部３７６は、応答が有効化命令であると判定した場合には（ステップＳ５６：ＹＥＳ）、処理をステップＳ５７に進める。一方、有効化部３７６は、応答が有効化命令ではないと判定した場合には（ステップＳ５６：ＮＯ）、処理をステップＳ５８に進める。
【００９６】
ステップＳ５７において、有効化部３７６は、ｉ番目の電子チケットデータを有効化する。例えば、有効化部３７６は、ｉ番目の電子チケットデータの可視属性を「可視」に変更する。次いで、有効化部３７６は、番号ｉが、イベント番号に対応する電子チケットデータの数未満であるか否かを判定する（ステップＳ５８）。このとき、有効化部３７６は、番号ｉが電子チケットデータの数未満であると判定した場合には（ステップＳ５８：ＹＥＳ）、処理をステップＳ５９に進める。ステップＳ５９において、有効化部３７６は、番号ｉを１増加させて、処理をステップＳ５２に進める。一方、有効化部３７６は、番号ｉが電子チケットデータの数未満ではないと判定した場合には（ステップＳ５８：ＮＯ）、有効化制御処理を終了させる。
【００９７】
以上説明したように、本実施形態によれば、電子チケットサーバ１のシステム制御部１４が、携帯端末３が取得した電子チケットデータであって、携帯端末３のユーザに対して発行された第１の電子チケットデータと、このユーザが属するグループ内の他のユーザに対して発行された第２の電子チケットデータであって、且つ携帯端末３が利用要求を受け付けた第２の電子チケットデータとがそれぞれ有効化されているか否かを確認する有効化確認要求を、有効化端末２から受信する。また、システム制御部１４が、チケットＤＢ１２ｂに記憶された有効化フラグに基づいて、有効化確認要求された電子チケットがそれぞれ有効化されているか否かを判定する。また、システム制御部１４が、有効化確認要求された電子チケットのうち有効化されてないと判定された電子チケットデータを携帯端末３により有効化させる有効化命令を有効化端末２へ送信する。従って、ユーザが電子チケットデータを取得した携帯端末３を利用できない状況であっても、電子チケットデータが二重に利用されることを防止しつつ、この電子チケットデータの利用が予定される会場等の場所でこのユーザが電子チケットデータを適正に利用することができる。
【００９８】
また、システム制御部１４が、有効化端末２から有効化確認要求を受信し、有効化端末２有効か命令を送信してもよい。この場合、会場又はその付近に携帯端末３が位置する場合にのみ、電子チケットデータの有効化が可能となる。
【００９９】
また、携帯端末３のシステム制御部３７が、携帯端末３のユーザに対して発行された第１の電子チケットデータと、このユーザが属するグループ内の他のユーザに対して発行された第２の電子チケットデータと、を含む複数の電子チケットデータを取得する。また、システム制御部３７が、第２の電子チケットデータの利用要求を受け付ける。また、システム制御部３７が、第１の電子チケットデータと、利用要求が受け付けられた第２の電子チケットデータとがそれぞれ有効化されているか否かを確認する有効化確認要求を有効化端末２へ送信する。また、システム制御部３７が、有効化確認要求された電子チケットデータのうちまだ有効化されていない電子チケットデータを有効化させる有効化命令を、有効化端末２から受信する。また、システム制御部３７が、有効化命令に応じて、まだ有効化されていない電子チケットデータを利用できるように有効化する処理を実行する。従って、ユーザが電子チケットデータを取得した携帯端末３を利用できない状況であっても、電子チケットデータが二重に利用されることを防止しつつ、この電子チケットデータの利用が予定される会場等の場所でこのユーザが電子チケットデータを適正に利用することができる。
【０１００】
また、システム制御部３７が、携帯端末３が電子チケットデータの利用が予定される場所を含むエリアに設置された有効化端末２の無線通信圏内に入った際に、有効化確認要求を送信してもよい。この場合、会場又はその付近に携帯端末３が位置する場合にのみ、電子チケットデータの有効化が可能となる。
【０１０１】
また、無線通信により携帯端末３と有効化端末２との間で直接有効化確認要求及び有効化命令の送受信が行われるようにすれば、携帯端末３が移動体通信網や無線ＬＡＮ等の無線通信ネットワークに接続することができない場合であっても、携帯端末３は、電子チケットデータを有効化することができる。
【０１０２】
また、システム制御部３７が、第１の電子チケットデータに対応する電子チケットの情報と、利用要求が受け付けられた第２の電子チケットデータに対応する電子チケットの情報と、を画面に表示させてもよい。この場合、第２の電子チケットデータの利用要求が受け付けられているか否かをユーザが容易に認識することができる。
【０１０３】
また、システム制御部３７が、利用要求と他のユーザの認証情報とを受け付けてもよい。システム制御部３７は、第２の電子チケットデータについては、受け付けられた認証情報を用いて他のユーザが認証された場合に限り、この他のユーザに対して発行された第２の電子チケットデータが有効化されているか否かを確認する有効化確認要求を送信してもよい。この場合、携帯端末３は、利用要求の入力が、第２の電子チケットデータが発行されたユーザの意思によるものであることを確認した上で、その第２の電子チケットデータを有効化することができる。
【０１０４】
［２．第２実施形態］
次に、第２実施形態について、図１２乃至図１４を用いて説明する。以下に説明する点を除き、第２実施形態は第１実施形態と同様であってもよい。図１２は、本実施形態に係る電子チケットシステムＳの概要構成の一例を示す図である。図１２において、図１と同様の要素については同様の符号が付されている。
【０１０５】
図１２に示すように、本実施形態に係る電子チケットシステムＳは、電子チケットサーバ１と、複数の携帯端末３と、少なくとも１つのビーコン発信機４とを含んで構成されている。本実施形態において、電子チケットサーバ１は本発明の確認用情報処理装置の一例である。ビーコン発信機４は、本発明の通信装置の一例である。電子チケットサーバ１と各携帯端末３とはネットワークＮＷを介して相互にデータの送受信が可能になっている。
【０１０６】
ビーコン発信機４は、電子チケットデータの利用が予定される場所を含むエリアに設置される。１つの会場に複数のビーコン発信機４が設置されてもよい。ビーコン発信機４は、近距離無線通信によりビーコン信号を発信する。この近距離無線通信で通信可能な距離の上限は、例えば数十センチメートル〜数十メートル程度である。近距離無線通の規格は、例えばＢＬＥ（Bluetooth（登録商標） Low Energy）、ＺｉｇＢｅｅ（登録商標）、 ＮＦＣ（Near field radio communication）等であってもよい。ビーコン信号は、所定の識別情報を含む無線信号である。この識別情報に基づいて、ビーコン発信機４が如何なるイベントの会場に設置されているかを特定することが可能である。例えば、識別情報はイベント番号を含んでもよい。ビーコン発信機４は、ＣＰＵ、ＲＯＭ、ＲＡＭ等を備えるシステム制御部、フラッシュメモリ等の不揮発性の記憶部、近距離無線通信を行うための近距離無線通信部を備える。
【０１０７】
電子チケットサーバ１及び携帯端末３の構成は、第１実施形態の場合と基本的に同様であってもよい。但し、携帯端末３がビーコン発信機４との近距離無線通信が可能なように、携帯端末３の近距離無線通信部３２は、ＢＬＥ、ＺｉｇＢｅｅ（登録商標）、又はＮＦＣ等の規格に対応している。本実施形態において近距離無線通信が可能とは、少なくともビーコン発信機４から送信される信号を携帯端末３が受信可能であることをいう。
【０１０８】
携帯端末３は、ビーコン発信機４の無線通信圏内に入った際に、近距離無線通信部３２によりビーコン発信機４からビーコン信号を受信する。すると、携帯端末３は、移動体無線通信部３１により移動体通信網及びネットワークＮＷを介して有効化確認要求を電子チケットサーバ１へ送信する。そして、携帯端末３は、電子チケットサーバ１からネットワークＮＷ及び移動体通信網を介して、有効化命令又は有効化禁止命令を受信する。携帯端末３は、携帯端末３に記憶されている電子チケットデータのうち、可視属性が「可視」であり、且つ有効化状態が「未有効化」である電子チケットデータ全てについて、チケット番号とビーコン信号の識別情報とを含む有効化確認要求を送信してもよい。電子チケットサーバ１は、有効化確認要求に含まれるチケット番号に対応する電子チケットデータのうち、有効化確認要求に含まれる識別情報から特定されるイベントに対応した電子チケットデータについてのみ、チケットＤＢ１２ｂに記憶された有効化フラグを確認して、有効化命令又は有効化禁止命令を送信してもよい。或いは、携帯端末３は、携帯端末３に記憶されている電子チケットデータのうち、可視属性が「可視」であり、有効化状態が「未有効化」であり、且つビーコン信号に含まれる識別情報から特定されるイベントに対応する電子チケットデータのチケット番号を含む有効化確認要求を送信してもよい。
【０１０９】
例えば、図５（ａ）に示すように、携帯端末３−１は、電子チケットデータＥ１〜Ｅ３をダウンロードする。また、携帯端末３−２は電子チケットデータＥ２をダウンロードし、携帯端末３−３は電子チケットデータＥ３をダウンロードする。その後、図５（ｂ）に示すように、携帯端末３−２を利用することができなくなったユーザＵ２は、携帯端末３−１を操作して利用要求を入力することにより、携帯端末３−１は、携帯端末３−１が記憶する電子チケットデータＥ２の可視属性を「可視」に変更する。
【０１１０】
図１３は、携帯端末３−１及び３−３がビーコン発信機４の無線通信圏内ＡＲ２に入ったときの電子チケットデータの状態とチケットＤＢ１２ｂの内容の一例を示す図である。ユーザＵ１〜Ｕ３は一緒に会場の入り口付近に行ったとする。これにより、携帯端末３−１及び３−３は、ビーコン発信機４からビーコン信号を受信する。これに応じて、携帯端末３−１は、ビーコン信号に含まれる識別情報を含む有効化確認要求を電子チケットサーバ１へ送信する。携帯端末３−１に記憶されている電子チケットデータのうち、識別情報に対応する電子チケットデータＥ１及びＥ２の有効化フラグはＦＡＬＳＥであるので、電子チケットサーバ１は、電子チケットデータＥ１及びＥ２の有効化命令を携帯端末３−１へ送信する。携帯端末３−１が有効化命令を受信することにより、携帯端末３−１に記憶された電子チケットデータＥ１及びＥ２が有効化される。同様に携帯端末３−３も有効化確認要求を電子チケットサーバ１へ送信し、電子チケットサーバ１から有効化命令を受信するので、携帯端末３−３に記憶された電子チケットデータＥ３も有効化される。
【０１１１】
図１４は、ビーコン発信機４が有効化端末２の無線通信圏内ＡＲ２に入ったときの電子チケットデータの状態とチケットＤＢ１２ｂの内容の一例を示す図である。図７が示す有効化の後、誰かが携帯端末３−２を持って会場の入り口付近に行ったとする。携帯端末３−２が無線通信圏内ＡＲ２に入ることにより携帯端末３−２が電子チケットサーバ１へ有効化確認要求を送信する。この時点で、電子チケットデータＥ２の有効化フラグは既にＴＲＵＥに設定されている状態であるので、電子チケットサーバ１は有効化禁止命令を携帯端末３−２へ送信する。従って、携帯端末３−２に記憶された電子チケットデータＥ２は有効化されない。
【０１１２】
電子チケットサーバ１及び携帯端末３による処理内容は、第１実施形態において、図９乃至図１１を用いて説明された処理内容と同様であってもよい。但し、図１１に示す有効化制御処理は、携帯端末３が、ビーコン発信機４の無線通信圏内に入ることによってビーコン発信機４からビーコン信号を受信したときに実行される。有効化制御処理において、携帯端末３の有効化確認要求送信部３７４は、有効化確認要求を電子チケットサーバ１へ送信し（ステップＳ５４）、有効化命令受信部３７５は、電子チケットサーバ１から応答を受信する（ステップＳ５５）。図１２に示す有効化確認要求受信処理は、電子チケットサーバ１が携帯端末３から有効化確認要求を受信したときに実行される。有効化確認要求受信処理において、電子チケットサーバ１のシステム制御部１４は、有効化命令又は有効化禁止命令を携帯端末３へ送信する（ステップＳ６２又はＳ６４）。
【０１１３】
［３．第３実施形態］
次に、第３実施形態について、図１５を用いて説明する。以下に説明する点を除き、第３実施形態は第２実施形態と同様であってもよい。図１５は、本実施形態に係る電子チケットシステムＳの概要構成の一例を示す図である。図１５において、図１と同様の要素については同様の符号が付されている。
【０１１４】
図１５に示すように、本実施形態に係る電子チケットシステムＳは、電子チケットサーバ１と、複数の携帯端末３とを含んで構成されている。本実施形態において、電子チケットサーバ１は本発明の情報処理装置の一例である。電子チケットサーバ１と各携帯端末３とはネットワークＮＷを介して相互にデータの送受信が可能になっている。
【０１１５】
本実施形態において、携帯端末３の有効化確認要求送信部３７４は、入力部３３に対するユーザの操作に基づいて、有効化確認要求を電子チケットサーバ１へ送信する。例えば、有効化確認要求送信部３７４は、ユーザの操作に基づいて、携帯端末３に記憶された電子チケットデータに対応するイベントの一覧を表示部３４に表示させる。有効化確認要求送信部３７４は、一覧の中からユーザにより選択されたイベントに対応する電子チケットデータのうち、可視属性が「可視」であり、且つ有効化状態が「未有効化」である１又は複数の電子チケットデータについての有効化確認要求を電子チケットサーバ１へ送信してもよい。或いは、有効化確認要求送信部３７４は、一覧の中からユーザにより選択されたイベントに対応する電子チケットデータのうち、可視属性が「可視」であり、且つ有効化状態が「未有効化」である電子チケットの一覧を表示部３４に表示させる。有効化確認要求送信部３７４は、一覧の中からユーザにより選択された電子チケットデータについての有効化確認要求を電子チケットサーバ１へ送信してもよい。携帯端末３は、有効化確認要求に応じて電子チケットサーバ１から有効化命令を受信した場合、その有効化命令に対応する電子チケットデータを有効化させる。
【０１１６】
有効化確認要求送信部３７４は、有効化確認要求のためのユーザ操作を許容する期間を、イベントの開催日に限定してもよい。また有効化確認要求送信部３７４は、有効化確認要求のためのユーザ操作を許容する期間を、その開催日における或る時間帯に限定してもよい。この時間帯は、例えば予め設定されてもよいし、イベントの開始時間、終了時間、会場の開場時間、閉場時間等に基づいて決定されてもよい。或いは、電子チケットサーバ１は、イベントの開催日、又はイベントの開催日における所定の時間帯に携帯端末３から有効化確認要求を受信した場合にのみ、有効化命令を送信してもよい。
【０１１７】
有効化確認要求送信部３７４は、携帯端末３が、イベントが開催される会場から所定範囲内に存在すると判定される場合に限り、有効化確認要求のためのユーザ操作を許容してもよい。或いは、電子チケットサーバ１は、有効化確認要求を送信してきた携帯端末３が、イベントが開催される会場から所定範囲内に存在すると判定される場合に限り、有効化命令を送信してもよい。各イベントの会場の位置を示す情報は、例えば電子チケットサーバ１の記憶部１２に記憶されてもよい。携帯端末３の測位方法は種々考えられる。例えば、携帯端末３が現在通信している基地局がカバーするセル内の或る位置が、携帯端末３の位置とみなされてもよい。或いは、複数の基地局のそれぞれから発信される電波が携帯端末３に到達する時間と、それらの基地局の位置とに基づいて、ＯＴＤＯＡ(Observed Time Difference Of Arrival)方式で携帯端末３の位置が測定されてもよい。或いは、携帯端末３がＧＰＳ（Global Positioning System）を用いて携帯端末３の位置を測定してもよい。
【符号の説明】
【０１１８】
１  電子チケットサーバ
１１  通信部
１２  記憶部
１３  入出力インターフェース
１４  システム制御部
１４ａ  ＣＰＵ
１４ｂ  ＲＯＭ
１４ｃ  ＲＡＭ
１５  システムバス
２  有効化端末
３、３−１、３−２、３−３  携帯端末
３１  移動体無線通信部
３２  近距離無線通信部
３３  入力部
３４  表示部
３５  記憶部
３６  入出力インターフェース
３７  システム制御部
３７ａ  ＣＰＵ
３７ｂ  ＲＯＭ
３７ｃ  ＲＡＭ
３８  システムバス
３７１  チケットデータ取得部
３７２  利用要求受付部
３７３  チケット情報表示制御部
３７４  有効化確認要求送信部
３７５  有効化命令受信部
３７６  有効化部
４  ビーコン発信機
ＮＷ  ネットワーク
Ｓ  電子チケットシステム
【図１】
2018163610.tif 000003
【図２】
2018163610.tif 000004
【図３】
2018163610.tif 000005
【図４】
2018163610.tif 000006
【図５】
2018163610.tif 000007
【図６】
2018163610.tif 000008
【図７】
2018163610.tif 000009
【図８】
2018163610.tif 000010
【図９】
2018163610.tif 000011
【図１０】
2018163610.tif 000012
【図１１】
2018163610.tif 000013
【図１２】
2018163610.tif 000014
【図１３】
2018163610.tif 000015
【図１４】
2018163610.tif 000016
【図１５】
2018163610.tif 000017
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
グループに属する複数のユーザそれぞれが利用する複数の携帯端末と、情報処理装置と、を含む電子チケットシステムにおいて、
前記複数の携帯端末のうちの少なくとも一の携帯端末は、
前記一の携帯端末のユーザに対して発行された第１の電子チケットデータと、前記グループ内の他のユーザに対して発行された第２の電子チケットデータと、を取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を送信する要求送信手段と、
前記確認要求された前記電子チケットデータのうちまだ有効化されていない前記電子チケットデータを有効化させる有効化命令を受信する命令受信手段と、
前記有効化命令に応じて、まだ有効化されていない前記電子チケットデータを利用できるように有効化する処理を実行する有効化手段と、
を備え、
前記情報処理装置は、
前記確認要求を受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる前記有効化命令を送信する命令送信手段と、
を備えることを特徴とする電子チケットシステム。
【請求項２】
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、
を備えることを特徴とする情報処理装置。
【請求項３】
前記通信装置は、前記電子チケットデータの利用が予定される場所を含むエリアに設置され、且つ前記携帯端末と無線通信可能であり、
前記携帯端末は、前記通信装置の無線通信圏内に前記携帯端末が入った際に、前記確認要求を前記通信装置へ送信し、前記通信装置から前記有効化命令を受信することを特徴とする請求項２に記載の情報処理装置。
【請求項４】
グループに属する複数のユーザそれぞれに対して発行された複数の電子チケットデータが有効化されているか否かを、それぞれの前記電子チケットデータごとに管理する電子チケットシステムにおいて用いられる携帯端末において、
前記携帯端末のユーザに対して発行された第１の電子チケットデータと、該ユーザが属するグループ内の他のユーザに対して発行された第２の電子チケットデータと、を含む複数の電子チケットデータを取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う確認用情報処理装置へ送信する送信手段と、
前記確認要求された前記電子チケットデータのうちまだ有効化されていない前記電子チケットデータを有効化させる有効化命令を、前記確認用情報処理装置から受信する受信手段と、
前記有効化命令に応じて、まだ有効化されていない前記電子チケットデータを利用できるように有効化する処理を実行する有効化手段と、
を備えることを特徴とする携帯端末。
【請求項５】
前記送信手段は、前記携帯端末が前記電子チケットデータの利用が予定される場所を含むエリアに設置され、且つ前記携帯端末と無線通信可能な通信装置の無線通信圏内に入った際に、前記確認要求を送信することを特徴とする請求項４に記載の携帯端末。
【請求項６】
前記通信装置は、前記確認用情報処理装置であることを特徴とする請求項５に記載の携帯端末。
【請求項７】
前記第１の電子チケットデータに対応するチケット情報と、前記利用要求が受け付けられた前記第２の電子チケットデータに対応するチケット情報と、を画面に表示させる表示制御手段を更に備えることを特徴とする請求項４乃至６の何れか１項に記載の携帯端末。
【請求項８】
前記受付手段は、前記利用要求と前記他のユーザの認証情報とを受け付け、
前記送信手段は、前記第２の電子チケットデータについては、前記受け付けられた認証情報を用いて前記他のユーザが認証された場合に限り、該他のユーザに対して発行された第２の電子チケットデータが有効化されているか否かを確認する確認要求を前記確認用情報処理装置へ送信することを特徴とする請求項４乃至７の何れか１項に記載の携帯端末。
【請求項９】
コンピュータにより実行される情報処理方法であって、
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信ステップと、
記憶ステップに記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信ステップと、
を含むことを特徴とする情報処理方法。
【請求項１０】
グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータにより実行される情報処理方法において、
前記携帯端末のユーザに対して発行された第１の電子チケットデータと、該ユーザが属するグループ内の他のユーザに対して発行された第２の電子チケットデータと、を含む複数の電子チケットデータを取得する取得ステップと、
前記第２の電子チケットデータの利用要求を受け付ける受付ステップと、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信ステップと、
前記確認要求された前記電子チケットデータのうちまだ有効化されていない前記電子チケットデータを有効化させる有効化命令を、前記情報処理装置から受信する受信ステップと、
前記有効化命令に応じて、まだ有効化されていない前記電子チケットデータを利用できるように有効化する処理を実行する有効化ステップと、
を含むことを特徴とする情報処理方法。
【請求項１１】
コンピュータを、
グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、
記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、
として機能させることを特徴とする情報処理プログラム。
【請求項１２】
グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータを、
前記携帯端末のユーザに対して発行された第１の電子チケットデータと、該ユーザが属するグループ内の他のユーザに対して発行された第２の電子チケットデータと、を含む複数の電子チケットデータを取得する取得手段と、
前記第２の電子チケットデータの利用要求を受け付ける受付手段と、
前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信手段と、
前記確認要求された前記電子チケットデータのうちまだ有効化されていない前記電子チケットデータを有効化させる有効化命令を、前記情報処理装置から受信する受信手段と、
前記有効化命令に応じて、まだ有効化されていない前記電子チケットデータを利用できるように有効化する処理を実行する有効化手段と、
として機能させることを特徴とする情報処理プログラム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
請求項４に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末において、前記携帯端末のユーザに対して発行された第１の電子チケットデータと、該ユーザが属するグループ内の他のユーザに対して発行された第２の電子チケットデータと、を含む複数の電子チケットデータを取得する取得手段と、前記第２の電子チケットデータの利用要求を受け付ける受付手段と、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う確認用情報処理装置へ送信する送信手段と、前記確認要求された前記電子チケットデータのうちまだ有効化されていない前記電子チケットデータを有効化させる有効化命令を、前記確認用情報処理装置から受信する受信手段と、前記有効化命令に応じて、まだ有効化されていない前記電子チケットデータを利用できるように有効化する処理を実行する有効化手段と、を備えることを特徴とする。
【手続補正４】
【補正対象書類名】明細書
【補正対象項目名】００１４
【補正方法】変更
【補正の内容】
【００１４】
請求項５に記載の発明は、前記送信手段は、前記携帯端末が前記電子チケットデータの利用が予定される場所を含むエリアに設置され、且つ前記携帯端末と無線通信可能な通信装置の無線通信圏内に入った際に、前記確認要求を送信することを特徴とする。
【手続補正５】
【補正対象書類名】明細書
【補正対象項目名】００１６
【補正方法】変更
【補正の内容】
【００１６】
請求項６に記載の発明は、前記通信装置は、前記確認用情報処理装置であることを特徴とする。
【手続補正６】
【補正対象書類名】明細書
【補正対象項目名】００１８
【補正方法】変更
【補正の内容】
【００１８】
請求項７に記載の発明は、前記第１の電子チケットデータに対応するチケット情報と、前記利用要求が受け付けられた前記第２の電子チケットデータに対応するチケット情報と、を画面に表示させる表示制御手段を更に備えることを特徴とする。
【手続補正７】
【補正対象書類名】明細書
【補正対象項目名】００２０
【補正方法】変更
【補正の内容】
【００２０】
請求項８に記載の発明は、前記受付手段は、前記利用要求と前記他のユーザの認証情報とを受け付け、前記送信手段は、前記第２の電子チケットデータについては、前記受け付けられた認証情報を用いて前記他のユーザが認証された場合に限り、該他のユーザに対して発行された第２の電子チケットデータが有効化されているか否かを確認する確認要求を前記確認用情報処理装置へ送信することを特徴とする。
【手続補正８】
【補正対象書類名】明細書
【補正対象項目名】００２２
【補正方法】変更
【補正の内容】
【００２２】
請求項９に記載の発明は、コンピュータにより実行される情報処理方法であって、グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信ステップと、記憶ステップに記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信ステップと、を含むことを特徴とする。
【手続補正９】
【補正対象書類名】明細書
【補正対象項目名】００２３
【補正方法】変更
【補正の内容】
【００２３】
請求項１０に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータにより実行される情報処理方法において、前記携帯端末のユーザに対して発行された第１の電子チケットデータと、該ユーザが属するグループ内の他のユーザに対して発行された第２の電子チケットデータと、を含む複数の電子チケットデータを取得する取得ステップと、前記第２の電子チケットデータの利用要求を受け付ける受付ステップと、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信ステップと、前記確認要求された前記電子チケットデータのうちまだ有効化されていない前記電子チケットデータを有効化させる有効化命令を、前記情報処理装置から受信する受信ステップと、前記有効化命令に応じて、まだ有効化されていない前記電子チケットデータを利用できるように有効化する処理を実行する有効化ステップと、を含むことを特徴とする。
【手続補正１０】
【補正対象書類名】明細書
【補正対象項目名】００２４
【補正方法】変更
【補正の内容】
【００２４】
請求項１１に記載の発明は、コンピュータを、グループに属する複数のユーザのうちの一のユーザの携帯端末が取得した電子チケットデータであって、前記一のユーザに対して発行された第１の電子チケットデータと、前記グループ内の他のユーザに対して発行され、且つ前記携帯端末が利用要求を受け付けた第２の電子チケットデータとがそれぞれ有効化されているか否かを確認する確認要求を、前記第１の電子チケットデータ及び前記第２の電子チケットデータの有効化に用いられる通信装置から受信する要求受信手段と、記憶手段に記憶された、電子チケットデータが有効化されているか否かを電子チケットデータごとに示す有効化情報に基づいて、前記確認要求された電子チケットのうち有効化されてないと判定された電子チケットデータを有効化させる有効化命令を前記通信装置へ送信する命令送信手段と、として機能させることを特徴とする。
【手続補正１１】
【補正対象書類名】明細書
【補正対象項目名】００２５
【補正方法】変更
【補正の内容】
【００２５】
請求項１２に記載の発明は、グループに属する複数のユーザそれぞれに対して発行された複数の電子チケットデータが有効化されているか否かを、それぞれの前記電子チケットデータごとに管理する電子チケットシステムにおいて用いられる携帯端末のコンピュータを、前記携帯端末のユーザに対して発行された第１の電子チケットデータと、該ユーザが属するグループ内の他のユーザに対して発行された第２の電子チケットデータと、を含む複数の電子チケットデータを取得する取得手段と、前記第２の電子チケットデータの利用要求を受け付ける受付手段と、前記第１の電子チケットデータと、前記利用要求が受け付けられた前記第２の電子チケットデータとがそれぞれ有効化されているか否かを確認する確認要求を、前記電子チケットデータが有効化されているか否かの確認のための処理を行う情報処理装置へ送信する送信手段と、前記確認要求された前記電子チケットデータのうちまだ有効化されていない前記電子チケットデータを有効化させる有効化命令を、前記情報処理装置から受信する受信手段と、前記有効化命令に応じて、まだ有効化されていない前記電子チケットデータを利用できるように有効化する処理を実行する有効化手段と、として機能させることを特徴とする。
【手続補正１２】
【補正対象書類名】明細書
【補正対象項目名】００２７
【補正方法】変更
【補正の内容】
【００２７】
【図１】一実施形態に係る電子チケットシステムＳの概要構成の一例を示す図である。
【図２】一実施形態に係る電子チケットサーバの概要構成の一例を示すブロック図である。
【図３】データベースに記憶される内容の一例を示す図である。
【図４】（ａ）は、一実施形態に係る携帯端末３の概要構成の一例を示すブロック図である。（ｂ）は、一実施形態に係る携帯端末３のシステム制御部３７の機能ブロックの一例を示す図である。
【図５】（ａ）は、グループの各メンバーの携帯端末３に電子チケットデータがダウンロードされたときの電子チケットデータの状態とチケットＤＢ１２ｂの内容の一例を示す図である。（ｂ）は、利用要求が受け付けられたときの電子チケットデータの状態とチケットＤＢ１２ｂの内容の一例を示す図である。
【図６】携帯端末３−１及び３−３が有効化端末２の無線通信圏内ＡＲ１に入ったときの電子チケットデータの状態とチケットＤＢ１２ｂの内容の一例を示す図である。
【図７】携帯端末３−２が有効化端末２の無線通信圏内ＡＲ１に入ったときの電子チケットデータの状態とチケットＤＢ１２ｂの内容の一例を示す図である。
【図８】グループの各メンバーの携帯端末３に電子チケットデータがダウンロードされたときの電子チケットデータの状態とチケットＤＢ１２ｂの内容の一例を示す図である。
【図９】（ａ）は、一実施形態に係る電子チケットサーバ１のシステム制御部１４による代表者用電子チケット送信処理の一例を示す図である。（ｂ）は、一実施形態に係る携帯端末３のチケットデータ取得部３７１による代表者用電子チケット受信処理の一例を示す図である。（ｃ）は、一実施形態に係る電子チケットサーバ１のシステム制御部１４による非代表者用電子チケット送信処理の一例を示す図である。
【図１０】（ａ）は、一実施形態に係る携帯端末３のシステム制御部３７による利用要求受付処理の一例を示す図である。（ｂ）は、一実施形態に係る携帯端末３のチケット情報表示制御部３７３による電子チケット表示処理の一例を示す図である。
【図１１】（ａ）は、一実施形態に係る携帯端末３の有効化部３７６による有効化制御処理の一例を示す図である。（ｂ）は、一実施形態に係る電子チケットサーバ１のシステム制御部１４による有効化確認要求受信処理の一例を示す図である。
【図１２】一実施形態に係る電子チケットシステムＳの概要構成の一例を示す図である。
【図１３】携帯端末３−１及び３−３がビーコン発信機４の無線通信圏内ＡＲ２に入ったときの電子チケットデータの状態とチケットＤＢ１２ｂの内容の一例を示す図である。
【図１４】携帯端末３−２がビーコン発信機４の無線通信圏内ＡＲ２に入ったときの電子チケットデータの状態とチケットＤＢ１２ｂの内容の一例を示す図である。
【図１５】一実施形態に係る電子チケットシステムＳの概要構成の一例を示す図である。
【手続補正１３】
【補正対象書類名】明細書
【補正対象項目名】００９８
【補正方法】変更
【補正の内容】
【００９８】
また、システム制御部１４が、有効化端末２から有効化確認要求を受信し、有効化端末２が有効化命令を送信してもよい。この場合、会場又はその付近に携帯端末３が位置する場合にのみ、電子チケットデータの有効化が可能となる。
【手続補正１４】
【補正対象書類名】明細書
【補正対象項目名】０１１１
【補正方法】変更
【補正の内容】
【０１１１】
図１４は、携帯端末３−２がビーコン発信機４の無線通信圏内ＡＲ２に入ったときの電子チケットデータの状態とチケットＤＢ１２ｂの内容の一例を示す図である。図７が示す有効化の後、誰かが携帯端末３−２を持って会場の入り口付近に行ったとする。携帯端末３−２が無線通信圏内ＡＲ２に入ることにより携帯端末３−２が電子チケットサーバ１へ有効化確認要求を送信する。この時点で、電子チケットデータＥ２の有効化フラグは既にＴＲＵＥに設定されている状態であるので、電子チケットサーバ１は有効化禁止命令を携帯端末３−２へ送信する。従って、携帯端末３−２に記憶された電子チケットデータＥ２は有効化されない。